(57)【要約】      （修正有）【課題】高重量で耐久性、安全性、機能性に優れた筋力強化用縄跳び器具を提供する。【解決手段】グリップ１は鉄製丸棒とし、太さと長さにより重さを選択出来る。縄には金属チェーン２を用いる。グリップ１の端面の中央部にネジ穴を設け、縄のチェーン２の一端に通した連結ボルト４で双方を螺合する。縄の旋回中の振動によって発生する連結ボルト４の緩みを抑制するため、ワッシャー７、スプリングワッシャー６を介してナット５で連結ボルト４をグリップ１に締め付け固定する。チェーン２の旋回性の円滑化、また、チェーン２と連結ボルト４のネジ山との噛合い接触による摩耗の低減化のため、連結ボルト４には、穴あき六角半ネジボルト４とワッシャー８を使用する。裸チェーンが旋回中に手足等を直撃した場合等、人体への影響は無視できないことから、チェーン２をプラスチックチューブ３に通すことにより、安全上の問題を回避する。【選択図】図１
0003185920.tif 000002
【実用新案登録請求の範囲】
【請求項１】
縄の両端にグリップを取り付けた縄跳び器具において、金属製のグリップ、金属チェーンの縄、連結用の金属ボルトで構成され、連結ボルトは金属製グリップの端面の中央に穿たれたネジ穴に、ワシャーとスプリングワッシャーを介して金属ナットで螺合され、連結ボルトの頭部にはワッシャーが配置され、該ナットと該ワシャーとの間に金属チェーンが取り付けられたことを特徴とする筋力強化用縄跳び器具
【請求項２】
金属チェーンにはプラスチックチューブを装着し、連結ボルトには、半ネジボルトを使用することを特徴とする請求項１に記載の筋力強化用縄跳び器具
【考案の詳細な説明】
【考案の詳細な説明】
【技術分野】
【０００１】この考案は、競技者の筋力強化、バランス感覚の向上に資する高重量の縄跳び器具に関するものである。
【背景技術】
【０００２】従来の縄跳び器具では、グリップ（持ち手）はプラスチック製や木製で、縄はプラスチック紐、ゴム紐、或いは、布紐等が使用され１００ｇ程度の軽重量のものが主である。これらの縄跳び器具では、グリップの構造、縄の長さの調節法、グリップ部分での縄の旋回性の改善等の考案がなされており、健康増進や持久力向上等に使用されている。一方、競技者用の縄跳び器具として、３００ｇから１ｋｇ程度のものが有る。グリップや縄にはウレタン等のプラスチック材が使用されている。縄跳び器具では、グリップの重さと縄の重さにはバランスが必要で、グリップの重さが重くなるほど、縄も重くする必要が有るからである。重い縄跳び器具ほど、縄の旋回速度は小さくなるが、縄の回転の維持には、適切な遠心力が必要となる。この遠心力は縄の質量に比例するためである。また、縄が重くなると、縄をグリップに強固に係合する機構・強度が求められる。グリップと縄を強固に係合する場合には、プラスチックのような素材からなるグリップでは重量の大きな縄を安定に保持することは難しく、競技者用縄跳び器具は従来の縄跳び器具の素材やグリップと縄の係合機構等では実現できない状況であった。公表された実願２００７−８８２３では、重いグリップの縄跳び器具として、ダンベルを結合した健康器具が提案されている。ダンベルとして使用する場合、縄を切り離して使用することが特徴となっている。この考案は、縄として円形断面の可撓性体を使用し弾性挟編辺で縄を固定していることから係合部の構造は、プラスチック製縄を想定したものであり、重い縄への係合は不可能となっており、本考案の目的とする縄跳び器具とは異なるものである。
【考案が解決しようとする課題】
【０００３】競技者用の縄跳び器具では、高重量化することにより各構成部品に対し適切な素材の選択のほか、グリップと縄との係合方法及び係合部品の適正化も重要な課題である。また、高重量化した縄と人体への接触に対する安全性の確保、縄の旋回性等の縄機能、摩耗・消耗・破損等の機械的安定性の確保についての課題もある。
【０００４】本考案は、高重量のグリップ及び縄を安定かつ強固に係合し、縄のねじれの無い旋回を容易にし、安全性と耐久性に優れた筋力強化用の縄跳び器具を提供することを目的とする。
【課題を解決するための手段】
【０００５】本考案では、グリップ、縄、係合部の部品に金属材料を使用し、上記目的を達成するようにした。グリップは鉄製丸棒とし、太さと長さにより重さを選択できる。縄には金属チェーンを用いる。グリップの端面の中央部にネジ穴を設け、チェーンの先端のリングを通した連結ボルトで双方を螺合する。更に、縄の旋回による振動が連結ボルトの緩みの原因になるが、これを防止するために、ワッシャー、スプリングワッシャーを介してナットで連結ボルトをグリップに締め付ける。連結ボルトを緩みなく強固に係合するために、連結ボルトに接着剤を塗布し、螺合することも可能である。チェーンの旋回性を円滑にするため、連結ボルトには、穴あき六角ボルトとワッシャーを使用する。チェーンの寿命は、チェーンと連結ボルトのネジ山との接触による摩耗が支配的である。この現象を低減化するため、半ネジボルトを使用し、機械的性能を改善した。チェーンを縄としていることから旋回中に手足等を直撃した場合等、人体への影響は無視できない。これに対し、チェーンをプラスチックチューブに通すことにより、安全上の問題を回避できる。
【考案を実施するための最良の形態】
【０００６】図面に基づき本発明の形態を説明する。図１は全体図であり、図２はグリップの断面とチェーンの連結部の図である。図において、１は金属製の丸棒のグリップ、２は金属製のチェーン、３はチェーンを通しているプラスチックのチューブ、４はチェーンとグリップを繋げる連結ボルト、５は連結ボルトがグリップから脱落抑制用の金属ナット、６は連結ボルトの緩み抑制用のスプリングワッシャー、７はワッシャー、８はチェーンの回転を容易にするワッシャー、９は連結ボルトの結合部のネジ穴である。【０００７】グリップ１には連結ボルト４が埋め込まれるネジ穴９が穿たれている。連結ボルト４がチェーン２の端のリングに通され、グリップ１のネジ穴９に螺合される。連結ボルトの螺合には、ワッシャー７とスプリングワッシャー６を介して金属ナット５が使用される。縄の旋回による振動により連結ボルト４が緩み易いが、強固な係合には接着剤の使用も可能である。連結ボルト４は、チェーン２の旋回性、耐摩耗性の観点から六角穴付き半ネジボルトが望ましく、チェーンの両側に、金属製やプラスチック製のワッシャーを挿入或いは双方の同時挿入が好ましい。【０００８】縄は、プラスチック製のチューブ３と金属製のチェーン２からなるがグリップ１の重さと縄の重さのバランスが重要で、グリップ１の重さに対応し、チェーン２の太さとチューブ３の太さを選択する必要がある。
【考案の効果】
【０００９】本考案は、金属材料を用いて高重量の縄跳び器具をコンパクトに作製するものである。縄にはプラスチックチューブに通されたチェーンが使用されるが、プラスチックチューブはチェーンの過度な柔軟性を抑制し、プラスチック縄と同様の挙動を示し、縄跳び縄として十分な機能を発揮する。また、プラスチックチューブは、チェーンのねじれを抑制すると共にに、縄の重量増にも有効で、床との接触によるチェーンの摩耗、及び床表面の損傷の抑制効果を持つ。グリップとチェーンの係合には金属製の連結ボルトを用いるが、連結ボルトのネジ込みのほか、ワッシャー、スプリングワッシャーを介在させ、ナットの締め付けにより六角ボルトの緩みを防止する。更に強固に固定する場合には、ボルトに接着剤を塗布して螺合する。六角ボルトの頭側にワッシャーを挿入し、次にチェーンを通すが、半ネジボルトを用いることにより、チェーンの良好な旋回性が得られ、ねじれ防止に効果を持ち、同時にチェーンの摩擦・摩耗を抑制する効果が得られる。
【実施例】
【００１０】太さ３２ψ、長さ１５ｃｍ鉄丸棒の端面にネジ穴を穿ったグリップに、２５０ｃｍの長さのステンレス製のチェーンにプラスチックチューブを装着し、六角穴付半ねじの連結ボルトでグリップに螺合した。ワッシャー、スプリングワッシャーを介してナットにより連結ボルトをグリップに強固に固定した。ボルトの頭部とチェーンとの間にワッシャーを挿入した。グリップの重さは０．９５ｋｇ、縄の重量は７００ｇであった。縄跳び器具の全重量は２．６ｋｇで、コンパクトで高重量の縄跳び器具が得られた。１万回の使用に対しても縄とグリップとがバランスよく、縄のねじれが無い状態で、安定した旋回を示し、筋力強化、バランス感覚の向上に対し十分な効果と耐久性、安定性、安全性が確認された。
【図面の簡単な説明】
【００１１】
【図１】本発明の実施形態を示す縄跳び器具の全体図である。
【図２】本発明の実施形態のグリップの断面および連結部の図である。
【符号の説明】
【００１２】１  金属製のグリップ
２  金属製のチェーン
３  プラスチックチューブ
４  連結ボルト
５  ナット
６  スプリングワッシャー
７  ワッシャー
８  ワッシャー
９  ネジ穴
【図１】
0003185920.tif 000003
【図２】
0003185920.tif 000004